(57)【要約】      （修正有）【課題】微粉末状の医薬を鼻腔や口腔内に送り出す方法で容易かつ気軽に投与することのできる薬剤投与装置を提供する。【解決手段】薬剤投与装置１は、微粉末状の薬剤を包含し、伸縮可能に構成されるとともに伸縮方向に開口可能な噴出口３ｃを備えた薬剤容器３と、薬剤容器を収容する本体ケース２と、操作部５ｃ及び操作部と連動して薬剤容器を押圧して収縮動作させる押圧部５ａを備える押出機構５と、本体ケースから突出するように設けられ、薬剤容器の噴出口から噴出した薬剤を送り出し可能に構成されるとともに、鼻腔や口腔に挿入可能な先端６ａを備える挿入部６と、を具備する。【選択図】図１
0003230436.tif 000002
【実用新案登録請求の範囲】
【請求項１】
微粉末状の薬剤を包含し、伸縮可能に構成されるとともに伸縮方向に開口可能な噴出口を備えた薬剤容器と、
前記薬剤容器を収容する本体ケースと、
操作部及び該操作部と連動して前記薬剤容器を押圧して収縮動作させる押圧部を備える押出機構と、
前記本体ケースから突出するように設けられ、前記薬剤容器の前記噴出口から噴出した前記薬剤を送り出し可能に構成されるとともに、鼻腔や口腔に挿入可能な先端を備える挿入部と、
を具備する薬剤投与装置。
【請求項２】
前記薬剤容器は前記噴出口の少なくとも一部を開閉可能な開閉弁を備える、
請求項１に記載の薬剤投与装置。
【請求項３】
前記開閉弁は、初期状態において前記噴出口を閉鎖する態様で前記薬剤容器に付着され、前記薬剤容器の収縮動作によって生ずる内圧の増加によって前記薬剤容器に対する付着箇所の少なくとも一部が解放されて前記噴出口を開放する、
請求項２に記載の薬剤投与装置。
【請求項４】
一対の前記挿入部の前記先端が左右の鼻孔に対応して前記本体ケースから突出して並列するように設けられる、
請求項１−３のいずれか一項に記載の薬剤投与装置。
【請求項５】
前記薬剤容器及び前記挿入部は、前記本体ケースに対して着脱可能に構成される、
請求項１−４のいずれか一項に記載の薬剤投与装置。
【考案の詳細な説明】
【技術分野】
【０００１】
本考案は薬剤を投与する装置に関する。
【背景技術】
【０００２】
従来から微粉末状の薬剤を鼻腔や口腔を通して投与するための装置が、以下の特許文献１−３に示すように、種々提案されている。
【先行技術文献】
【特許文献】
【０００３】
【特許文献１】特表２００２−５０１７９１号公報
【特許文献２】特表２０１３−５１２７５５号公報
【特許文献３】特開昭５７−２３１９２号公報
【考案の概要】
【考案が解決しようとする課題】
【０００４】
しかしながら、上記従来の装置は、特許文献１のように構造が複雑で常用が難しいもの、特許文献２のように給気装置を必須とし病院などの限られた場所で使用しなければならないもの、特許文献３のようにゼラチンカプセルの中から粉末状医薬を取り出す必要があるものであり、いずれも、一般の人々が微粉末状の医薬を容易かつ気軽に服用することができないという問題がある。
【０００５】
そこで、本考案は上記問題を解決するものであり、その課題は、微粉末状の医薬を鼻腔や口腔内に送り出す方法で容易かつ気軽に投与することのできる薬剤投与装置を提供することにある。
【課題を解決するための手段】
【０００６】
上記課題を解決するために、本考案の薬剤投与装置は、微粉末状の薬剤を包含し、伸縮可能に構成されるとともに伸縮方向に開口可能な噴出口を備えた薬剤容器と、前記薬剤容器を収容する本体ケースと、操作部及び該操作部と連動して前記薬剤容器を押圧して収縮動作させる押圧部を備える押出機構と、前記本体ケースから突出するように設けられ、前記薬剤容器の前記噴出口から噴出した前記薬剤を送り出し可能に構成されるとともに、鼻腔や口腔に挿入可能な先端を備える挿入部と、を具備する。
【０００７】
本考案において、前記薬剤容器は前記噴出口の少なくとも一部を開閉可能な開閉弁を備えことが好ましい。また、前記開閉弁は、前記薬剤容器の伸縮動作によって生ずる内圧の増減によって前記噴出口を開閉可能に構成されることが望ましい。この場合において、前記開閉弁は、初期状態において前記噴出口を閉鎖する態様で前記薬剤容器に付着され、前記薬剤容器の収縮動作によって生ずる内圧の増加によって前記薬剤容器に対する付着箇所の少なくとも一部が解放されて前記噴出口を開放することが望ましい。
【０００８】
本考案において、前記挿入部は、少なくとも前記先端が可撓性を有することが好ましい。また、前記挿入部は、透光性を備えることが望ましい。例えば、透明なチューブ状に構成されることが挙げられる。特に、一対の前記挿入部の前記先端が左右の鼻孔に対応して前記本体ケースから突出して並列するように設けられることが好ましい。また、挿入部（挿入部材）は前記本体ケースに対して着脱可能に構成されることがさらに望ましい。
【０００９】
本考案において、前記薬剤容器は、前記本体ケースに対して着脱可能に構成されることが好ましい。また、前記薬剤は、微粉末状の形態で鼻腔や口腔の内部で、或いは、鼻腔や口腔を介して上気道全体で、外用することにより、抗ウイルス性を示す薬剤であることが好ましい。例えば、イベルメクチン（商品名：ストロメクトール）、ファビピラビル（商品名：アビガン）、ラニナミビルオクタン酸エステル水和物吸入剤（商品名：イナビル）などの微粉末であることが好ましい。
【考案の効果】
【００１０】
この考案によれば、微粉末状の医薬を鼻腔や口腔内に送り出す方法で容易かつ気軽に投与することのできる薬剤投与装置を提供することができる。
【図面の簡単な説明】
【００１１】
【図１】本考案に係る薬剤投与装置の実施形態の正面図（ａ）、平面図（ｂ）、底面図（ｃ）、左右の側面図（ｄ）、及び、縦断面図（ｅ）である。
【図２】同実施形態の分解斜視図である。
【図３】同実施形態の薬剤容器の噴出口の拡大平面図である。
【図４】同実施形態の薬剤投与時の様子を示す縦断面図である。
【考案を実施するための形態】
【００１２】
次に、添付図面を参照して本考案の薬剤投与装置の実施形態について詳細に説明する。最初に、図１を参照して、本実施形態の全体構成について説明する。本実施形態の薬剤投与装置１は、微粉末状の薬剤を包含し、伸縮可能に構成されるとともに伸縮方向に開口可能な噴出口３ｃを備えた薬剤容器３と、薬剤容器３を収容する本体ケース３と、操作部５ｃ及び該操作部５ｃと連動して薬剤容器３を押圧して収縮動作させる押圧部５ａを備える押出機構５と、本体ケース２から突出するように設けられ、薬剤容器３の噴出口３ｃから噴出した前記薬剤を送り出し可能に構成されるとともに、鼻腔や口腔に挿入可能な先端６ａを備える挿入部材６（挿入部）と、を具備する。
【００１３】
本体ケース２は、筒状（図示例では円筒状）の容器収容部４を備え、この容器収容部４内に上記薬剤容器３が配置される。容器収容部４は、本体ケース２内に固定された収容筒部４ａと、この収容筒部４ａの図示上側の開口に取り付けられた枠状（リング状）の収容蓋部４ｂとを有する。図示例では、一対の容器収容部４が本体ケース２に設けられる。この収容蓋部４ｂは、収容筒部４ａ内に配置された薬剤容器３の上端部の外周を保持している。
【００１４】
これらの容器収容部４内に配置される薬剤容器３も全体として筒状（図示例では円筒状）に構成され、軸線方向（図示上下方向）に伸縮可能な構造となっている。図示例では、薬剤容器３は、蛇腹状の伸縮壁３ａを軸線周りの周壁としていることにより軸線方向に伸縮可能になっている。軸線方向の一方の端部には底部３ｂが設けられ、他方の端部には噴出口３ｃが形成される。この噴出口３ｃは、初期状態では、開閉弁３ｄによって閉鎖されている。開閉弁３ｄは薬剤容器３の上面に配置され、噴出口３ｃの周囲が付着された状態とされることにより、噴出口３ｃを閉鎖している。図示例では開閉弁３ｄは噴出口３ｃの全体を閉鎖しているが、部分的に閉鎖する構造であっても構わない。
【００１５】
本実施形態の押出機構５は、容器収容部４内に収容された薬剤容器３を押圧して収縮させる押圧部５ａと、この押圧部５ａに接続される押圧軸５ｂと、この押圧軸５ｂに接続されて本体ケース２から突出した操作部５ｃとを有する。押圧部５ａは、図示例では、収容筒部４ａの内面に摺接するピストン状に構成される。押圧部５ａが薬剤容器３の底部３ｂを押圧することにより、薬剤容器３は軸線方向に収縮する。押圧軸５ｂは、本体ケース２の底壁から外部へ導出され、操作部５ｃに接続される。図示例では、一対の押圧部５ａにそれぞれ接続された押圧軸５ｂが共通の（一体の）操作部５ｃに接続される。なお、図示例では、押圧軸５ｂと本体ケース２の底壁との間には押圧軸５ｂの摺動性を高めるブッシュが介在しているが、当該ブッシュはなくてもよい。
【００１６】
本実施形態の挿入部材６は、後端６ｂが上記収容蓋部４ｂに装着された状態で、先端６ａが図示上方に向いた姿勢で取付けられる。挿入部材６は全体として筒状（図示例では円筒状）であり、図示例では軸線方向に同径となっているが、先細になっていてもよい。挿入部材６の先端６ａは、図示例では、左右の鼻孔に挿入可能な大きさ及び間隔で並列される。挿入部材６は透光性を有する素材や可撓性を有する素材で構成されることが好ましく、例えば、透明な樹脂チューブで構成されることが望ましい。
【００１７】
図２に示すように、薬剤容器３と挿入部材６は他の部材、例えば、本体ケース２に対してそれぞれ着脱可能となるように構成されることが好ましい。図示例の場合、挿入部材６は、後端６ｂを収容蓋部４ｂから取り外すことができる。また、薬剤容器３は、収容蓋部４ｂを外すことにより、本体ケース２から取り出すことができる。さらに、容器収容部４（収容筒部４ａ）全体を本体ケース２から取り外すことができるようにしてもよい。
【００１８】
図３に示すように、薬剤容器３の上面には、噴出口３ｃを覆う開閉弁３ｄが設けられる。開閉弁３ｄは合成樹脂フィルム等の可撓性素材で構成されることが好ましい。図示例では、開閉弁３ｄの一部である固着部３ｄ１は、薬剤容器３の上面における噴出口３ｃの周囲部分に対して溶着等によって固着されている。一方、付着部３ｄ２は、上記周囲部分に対して、固着部３ｄ１と比較して（粘着材等を用いて）弱い付着力で剥離可能に付着した状態にある。なお、噴出口３ｃは、薬剤容器３の上面において、当該上面よりも小さな開口面積を備えている。これによって、押出機構５によって軸線方向に収縮された薬剤容器３の内圧を小さな開口面積に集中させることができる。これにより、挿入部材６を介した薬剤の送り出しに必要な推進力を容易に得ることができる。ここで、開閉弁３ｄが存在しても噴出口３ｃの実質的な開口面積を十分に得るには、固着部３ｄ１が付着部３ｄ２よりも小さいことが好ましく、例えば、固着部３ｄ１の周長が５−１５％、付着部３ｄ２の周長が８５−９５％の範囲内であることが好ましい。
【００１９】
図４に示すように、本体ケース２に対して押出機構５の操作部５ｃを押し込むと、押圧部５ａが薬剤容器３を軸線方向に収縮させるので、薬剤容器３の内圧は増大して開閉弁３ｄの上記付着部３ｄ２を剥離させる。これによって、薬剤容器３の内部に包含されていた微粉末状の薬剤は、噴出口３ｃから噴出し、挿入部材６の内部を通過して送り出される。この付着部３ｄ２の付着力の解放は、上記内圧を瞬時に解放することにより上記推進力をさらに増大させる効果を奏する。このため、挿入部材６を左右の鼻孔に軽く挿入して操作部５ｃを押し込むことにより、極めて容易に薬剤を鼻腔内に供給することができる。なお、その後、操作部５ｃを適宜に調節することにより、薬剤の投与を一時的に中断したり、また、再開したりすることも可能である。このとき、操作部５ｃの出し入れによって薬剤容器３の内圧の変化に応じて開閉弁３ｄを開閉することができる。ここで、着脱可能に構成した挿入部材６や薬剤容器３は適宜交換して用いることができる。
【００２０】
なお、本考案の薬剤投与装置は、上述の図示例のみに限定されるものではなく、本考案の要旨を逸脱しない範囲内において種々変更を加え得ることは勿論である。例えば、上記各実施形態では、一対の挿入部材６（或いは、一対の挿入部材６及び一対の薬剤容器３）を設けることによって、左右の鼻孔から微粉末状の薬剤を投与することができるようにしているが、一つの挿入部材６を用いて口腔から薬剤を投与するようにしてもよい。また、本発明の挿入部は、上記挿入部材６が本体ケース２と一体に構成されたものであってもよい。薬剤としては、皮膚や粘膜上に付着したり、皮膚や粘膜を介して吸収されたりする微粉末状の外用薬であればよく、特に、イベルメクチン（商品名：ストロメクトール）、ファビピラビル（商品名：アビガン）、ラニナミビルオクタン酸エステル水和物吸入剤（商品名：イナビル）などの抗ウイルス性を備える薬剤を用いることにより、インフルエンザウイルスやコロナウイルスなどのウイルス感染を防止することが期待される。これらの薬剤は微粉末状で、鼻腔、口腔、その他の上気道に投与されるため、薬剤本来の効能を感染前や感染初期において発揮させることができる。本考案はこのような薬剤の効能を容易かつ確実に実現できるという顕著な効果を奏する。
【符号の説明】
【００２１】
１…薬剤投与装置、２…本体ケース、３…薬剤容器、３ａ…伸縮壁、３ｂ…底部、３ｃ…噴出口、３ｄ…開閉弁、３ｄ１…固着部、３ｄ２…付着部、４…容器収容部、４ａ…収容筒部、４ｂ…収容蓋部、５…押圧機構、５ａ…押圧部、５ｂ…押圧軸、５ｃ…操作部、６…挿入部材、６ａ…先端、６ｂ…後端
【図１】
0003230436.tif 000003
【図２】
0003230436.tif 000004
【図３】
0003230436.tif 000005
【図４】
0003230436.tif 000006